(57)【要約】【課題】  本発明は、オーダー変更による段ボールシートが、正確に切り離されるコルゲートマシンにおける段ボールシートの切り離し装置を提供すること。【解決手段】  コルゲートマシンにおけるカッター装置により所定の長さに切断された段ボールシートの搬送コンベアと、この段ボールシートをスタッカーに送り込む搬出コンベアとの間に、段ボールシートをオーバーラップ状態で移送する第１サクションコンベアと第２サクションコンベアとを配設し、第２サクションコンベアの搬入端に昇降駆動装置を設け、オーダー変更時に、上記第２サクションコンベアの加速、吸引力の上昇、第１サクションコンベアの減速、吸引力の上昇と共に、前記昇降駆動装置により第２サクションコンベアの搬入端を下降させることにより、新オーダーの段ボールシートを旧オーダーの段ボールシートから切り離すように構成したことを特徴とするコルゲートマシンにおける段ボールシートの切り離し装置。【選択図】      図１
2016199335.tif 000002
【特許請求の範囲】
【請求項１】
コルゲートマシンにおけるカッター装置により所定の長さに切断された段ボールシートの搬送コンベアと、この段ボールシートをスタッカーに送り込む搬出コンベアとの間に、段ボールシートをオーバーラップ状態で移送する第１サクションコンベアと第２サクションコンベアとを配設し、第２サクションコンベアの搬入端に昇降駆動装置を設け、オーダー変更時に、上記第２サクションコンベアの加速、吸引力の上昇、第１サクションコンベアの減速、吸引力の上昇と共に、前記昇降駆動装置により第２サクションコンベアの搬入端を下降させることにより、新オーダーの段ボールシートを旧オーダーの段ボールシートから切り離すように構成したことを特徴とするコルゲートマシンにおける段ボールシートの切り離し装置。
【発明の詳細な説明】
【技術分野】
【０００１】
本発明は、寸法とか枚数のオーダー変更による旧オーダーの段ボールシートと新オーダーの段ボールシートとが、正確に切り離されるコルゲートマシンにおける段ボールシートの切り離し装置に関する。
【背景技術】
【０００２】
本特許出願人は、図５，図６に示すように、コルゲートマシンにおけるカッター装置１０２から高速で繰り出される所定長さの段ボールシート１０３を、その繰り出し速度よりも減速された第１サクションコンベア１０５，第２サクションコンベア１０６にオーバーラップ状態で進行させ、寸法とか枚数のオーダー変更による旧オーダーの段ボールシート１０３が第２サクションコンベア１０６を通過すると同時に、第２サクションコンベア１０６を加速すると共にサクション装置１０８の吸引力を高め、第１サクションコンベア１０５を減速すると共にサクション装置１０８の吸引力を高めることにより、旧オーダーの段ボールシート１０３を新オーダーの段ボールシート１０３から切り離す段ボールシートの切り離し装置を開発した（特許第３６１２４８２号）。
【０００３】
上記段ボールシートの切り離し装置では、図６−１に示すように、旧オーダーの段ボールシート１０３が第２サクションコンベア１０６上を次の搬出コンベア１０４に向かって高速で移動を開始した後、サクション装置１０８を停止しているが、吸引力は瞬時にゼロにはならないので、図６−２，図６−３に示すように、新オーダーの段ボールシート１０３を旧オーダーの段ボールシート１０３と共に搬送してしまうことがあった。
【０００４】
また、上記の問題を解決するために、サクション装置１０８を停止するタイミングを早くするときは、旧オーダーの段ボールシート１０３の搬送力不足により、図６−４に示すように、旧オーダーの段ボールシート１０３の一部が新オーダーの段ボールシート１０３側に残ってしまうことがあった。
【先行技術文献】
【特許文献】
【０００５】
【特許文献１】特許第３６１２４８２号公報
【発明の概要】
【発明が解決しようとする課題】
【０００６】
本発明は、コルゲートマシンにおける段ボールシートの切り離し装置に関し、搬送コンベアから送り出される段ボールシートを、オーダーの変更により、オーバーラップ状態で切り離すことにより、スタッカーにおける積替え作業を容易にすることを目的としている。
【課題を解決するための手段】
【０００７】
上記の目的を達成するために、請求項１の発明は、コルゲートマシンにおけるカッター装置により所定の長さに切断された段ボールシートの搬送コンベアと、この段ボールシートをスタッカーに送り込む搬出コンベアとの間に、段ボールシートをオーバーラップ状態で移送する第１サクションコンベアと第２サクションコンベアとを配設し、第２サクションコンベアの搬入端に昇降駆動装置を設け、オーダー変更時に、上記第２サクションコンベアの加速、吸引力の上昇、第１サクションコンベアの減速、吸引力の上昇と共に、前記昇降駆動装置により第２サクションコンベアの搬入端を下降させることにより、新オーダーの段ボールシートを旧オーダーの段ボールシートから切り離すように構成している。
【０００８】
請求項１のコルゲートマシンにおける段ボールシートの切り離し装置は、カッター装置により所定の長さに切断された段ボールシートは、搬送コンベアから、この搬送コンベアより低速で回転し、サクションが作動している第１サクションコンベアに移り、オーバーラップ状態となって、第１サクションコンベアと同一速度で回転し、且つサクションが作動している第２サクションコンベアに移り、オーバーラップ状態を維持して搬出コンベアからスタッカーに連続して送り出される。
【０００９】
寸法とか枚数のオーダー変更による旧オーダーの最後尾の段ボールシートが、第１サクションコンベアと第２サクションコンベアの間に差し掛かったとき、第１サクションコンベアを更に低速にすると、サクション効果と相俟って第１サクションコンベア上の段ボールシート、即ち新オーダーの段ボールシートは一層緻密なオーバーラップ状態となり低速走行する。これと同時にエアシリンダ等の昇降駆動装置により、第２サクションコンベアの搬入側を下降させ、第２サクションコンベアとその上流側のコンベアを高速にすると共に、サクション装置による吸引力を高めると、第２サクションコンベア上の段ボールシート、即ち旧オーダーの段ボールシートはオーバーラップ状態で走行速度を速め、新オーダーの段ボールシートから切り離されて、順次スタッカーに繰出される。
【００１０】
上記オーダー変更による切り離しが不十分のために、搬入側が下降した第２サクションコンベア上を走行している旧オーダーの最後尾の段ボールシートに新オーダーの段ボールシートが重なることがあっても、両シート面には必然的に間隙を生じ、また新オーダーの段ボールシートの下面と第２サクションコンベアとの間に間隙を生ずるため、第２サクションコンベアにおけるサクション装置の吸引力が作用することがない。その結果、旧オーダーの段ボールシートと新オーダーの段ボールシートとは正確に切り離される。
【発明の効果】
【００１１】
本発明は、段ボールシートをオーバーラップ状態で切り離しを行う第１サクションコンベアと第２サクションコンベアとの速度差、サクション装置による吸引力の差異に加えて、第２サクションコンベアの搬入端を下降させることにより、旧オーダーの段ボールシート上に新オーダーの段ボールシートが重なることがあっても、旧オーダーの段ボールシートを新オーダーの段ボールシートから確実に切り離し、オーダー変更による新旧の段ボールシートを所定間隔を保って、スタッカーに連続して送り込むことができる。
【図面の簡単な説明】
【００１２】
【図１】本発明に係る段ボールシートの切り離し装置を備えたコルゲートマシンの一部を示す概略図である。
【図２】本発明に係る段ボールシートの切り離し装置の平面図である。
【図３】本発明に係る段ボールシートの切り離し装置の切り離し状態の説明図である。
【図４】図２におけるＡ−Ａ拡大断面図である。
【図５】従来装置の概略図である。
【図６】同上切り離し状態の説明図である。
【発明を実施するための形態】
【００１３】
以下、本発明に係るコルゲートマシンにおける段ボールシートの切り離し装置の実施形態を図１〜図４を参照して詳細に説明する。
【００１４】
図１に示すように、符号１はコルゲートマシンにおけるカッター装置２により、所定の長さに切断された段ボールシート３の搬送コンベアであり、符号４は上記段ボールシート３をスタッカー（図示せず）に排出する搬出コンベアである。
【００１５】
符号５及び６は、上記搬送コンベア１と搬出コンベア４との間に設置された第１サクションコンベアと第２サクションコンベアであり、図２に示すように、多条ベルト７間にサクション装置８の吸気口９を開口させている。この第１，第２サクションコンベア５，６を支持したフレーム１０の搬入端には、前記従来の装置と同様に、第１サクションコンベア５の搬入端を下降させるための昇降用エアシリンダ１１を設置している。
【００１６】
図２,図４に示すように、上記第２サクションコンベア６の搬出側のローラ軸１２は前記フレーム１０に支持され、搬入側のローラ軸１３はローラ軸１２に前端（上流端）を回動自在に連結された揺動板１４の後端（下流端）に支持されている。この揺動板１４の後端（下流側）に下向きに突設した屈曲片１４ａと、フレーム１０から下向きに突設したアーム１０ａとの間に、第２サクションコンベア６の搬入端を下降させる昇降駆動用エアシリンダ１５を設置している。
【００１７】
図２における符号１６は第１サクションコンベア５の駆動用モーター、符号１７は第２サクションコンベア６の駆動用モーターであり、符号１８は第１，第２サクションコンベア５，６上に配設したシートブレーキ装置である。
【００１８】
上記各コンベア１，４，５，６，昇降用エアシリンダ１１，１５、サクション装置８，シートブレーキ装置１８は全て電気信号により作動する。尚、符号１９は段ボールシート３の通過検出センサーであり、２０は第１，第２サクションコンベア５，６の回転周速計である。
【００１９】
上記実施形態において、カッター装置２により２ｍの長さに切断された段ボールシート３は、３００ｍ／分で走行する搬送コンベア１から、図１，図３−１に示すように、シートブレーキ装置１８の押さえバネ１８ａにより前方への飛び出しとスピードを制御され、６０ｍ／分のスピードで走行している第１サクションコンベア５に送り込まれ、サクション装置８により多条ベルト７上に吸引されてオーバーラップ状態になり、等速で走行する第２サクションコンベア６に連続して移送され、サクション装置８により多条ベルト７上に吸引されてオーバーラップ状態を維持しながら、６０ｍ／分のスピードで走行している搬出コンベア４に移り、スタッカーに連続して送り込まれる。
【００２０】
長さ等のオーダー変更による新オーダーの最初の段ボールシート３の先端が、搬送コンベア１から第１サクションコンベア５に移った後、旧オーダーの最後の段ボールシート３の後端が、図３−２に示すように、第１サクションコンベア５から第２サクションコンベア６に移ると、通過検出センサー１９、及び回転周速計２０の計測により、第２サクションコンベア６は１５０ｍ／分のスピードに、第１サクションコンベア５は６ｍ／分以下のスピードに変速し、同時に昇降駆動用エアシリンダ１５が作動し、第２サクションコンベア６は図４に鎖線で示すように、搬出側のローラ軸１２を支点として搬入側が下方へ傾斜する。
【００２１】
その結果、旧オーダーの最後尾の段ボールシート３の上面と、新オーダーの最初の段ボールシート３の下面との間に間隙１９を生じ、更に図３−３に示すように、新オーダーの最初の段ボールシート３は、旧オーダーの最後尾の段ボールシート３の後端から切り離されるまでは、第２サクションコンベア６から離隔した状態が維持され、該コンベア６の回転速度、サクションの吸引力の影響を受けることがないので、新オーダーの段ボールシート３は旧オーダーの段ボールシート３から確実に切り離される。
【００２２】
オーダー変更に伴い、第１サクションコンベア５が低速になると、該第１サクションコンベア５上の段ボールシート３の重なり合いが緻密なオーバーラップ状態になり、搬送コンベア１からの段ボールシート３の送り込みが乱れを生ずるため、図５，図６に示す従来装置と同様に昇降駆動用エアシリンダ１１によりフレーム１０の後端を下降させ、第１サクションコンベア５の搬入端を下降することにより、第１サクションコンベア５への段ボールシート３の連続移送を図っている。
【符号の説明】
【００２３】
１          搬送コンベア
２          カッター装置
３          段ボールシート
４          搬出コンベア
５          第１サクションコンベア
６          第２サクションコンベア
７          多条ベルト
８          サクション装置
９          吸気口
１０        フレーム
１１        昇降駆動用エアシリンダ
１２        ローラ軸
１３        ローラ軸
１４        揺動板
１５        昇降駆動用エアシリンダ
【図１】
2016199335.tif 000003
【図２】
2016199335.tif 000004
【図３】
2016199335.tif 000005
【図４】
2016199335.tif 000006
【図５】
2016199335.tif 000007
【図６】
2016199335.tif 000008